(57)【要約】【課題】画像投射装置において、光学素子の制御と光源の制御とを良好に連動させてコントラストを向上させる。【解決手段】画像投射装置１００は、画像信号に応じて光源１１６からの光を変調する光変調素子１１７と、光源から出射した光の光量を変化させる光学素子１１５とを有する。該装置は、画像信号を解析して該画像信号の階調に関する情報を取得し、投射画像の明るさに関するユーザ設定値を取得する。該装置は、ユーザ設定値と階調に関する情報とを用いて光学素子および光源に対する光量の割当てを設定し、該割当てに応じて光学素子の動作および光源に対する供給電力のうち少なくとも一方を制御する。【選択図】図１
2019117307.tif 000002
【特許請求の範囲】
【請求項１】
画像信号に応じて光源からの光を変調する光変調素子を有し、該光変調素子により変調された光を投射して投射画像を表示する画像投射装置であって、
前記光源から出射した光の光量を変化させる光学素子と、
前記画像信号の階調に関する情報を取得する情報取得手段と、
前記投射画像の明るさに関するユーザ設定値を取得する取得手段と、
前記ユーザ設定値と前記階調に関する情報とを用いて、前記光学素子および前記光源に対する光量の割当てを設定し、前記割当てに応じて前記光学素子の動作および前記光源に対する供給電力のうち少なくとも一方を制御する制御手段とを有することを特徴とする画像投射装置。
【請求項２】
前記制御手段は、
前記ユーザ設定値と前記階調に関する情報とに応じて光量に関する目標値を設定し、
該目標値を得るための前記割当てを設定することを特徴とする請求項１に記載の画像投射装置。
【請求項３】
前記制御手段は、前記目標値が所定値より大きい場合と前記所定値より小さい場合とで前記割当てを変更することを特徴とする請求項２に記載の画像投射装置。
【請求項４】
前記光量の変化に応じて前記画像信号に対する色補正を行う補正手段を有することを特徴とする請求項１から３のいずれか一項に記載の画像投射装置。
【請求項５】
前記補正手段は、前記光学素子の制御による前記色の変化を補正するための第１の補正データと前記供給電力の制御による前記色の変化を補正するための第２の補正データのうち少なくとも一方を用いて前記画像信号に対して前記色の変化を補正するための画像処理を行うことを特徴とする請求項４に記載の画像投射装置。
【請求項６】
前記光源の劣化を検出する劣化検出手段を有し、
前記制御手段は、前記劣化が検出された場合に、前記劣化による前記光変調素子に入射する光量の低下を抑えるように前記光学素子の動作および前記供給電力のうち少なくとも一方を制御することを特徴とする請求項１から５のいずれか一項に記載の画像投射装置。
【請求項７】
前記光源の光量を検出する光量検出手段を有し、
前記劣化検出手段は、所定の供給電力において前記光量が低下したことを検出した場合に前記劣化を検出することを特徴とする請求項６に記載の画像投射装置。
【請求項８】
前記画像投射装置の内部温度を検出する温度検出手段を有し、
前記制御手段は、前記内部温度が所定温度より高い場合に、該内部温度を低下させるように前記光学素子の動作および前記供給電力のうち少なくとも一方を制御するとともに、該制御に応じて前記割当てを変更することを特徴とする請求項１から７のいずれか一項に記載の画像投射装置。
【請求項９】
前記階調に関する情報は、平均階調レベル、階調ヒストグラムおよび最大階調値のうちいずれかであることを特徴とする請求項１から８のいずれか一項に記載の画像投射装置。
【請求項１０】
画像信号に応じて光源からの光を変調する光変調素子を有し、該光変調素子により変調された光を投射して投射画像を表示する画像投射装置であり、前記光源から出射した光の光量を変化させる光学素子を有する画像投射装置の制御方法であって、
前記画像信号を解析して該画像信号の階調に関する情報を取得するステップと、
前記投射画像の明るさに関するユーザ設定値を取得するステップと、
前記明るさに関するユーザ設定値と前記階調に関する情報とを用いて、前記光学素子および前記光源に対する光量の割当てを設定し、前記割当てに応じて前記光学素子の動作および前記光源に対する供給電力のうち少なくとも一方を制御するステップとを有することを特徴とする画像投射装置の制御方法。
【請求項１１】
画像信号に応じて光源からの光を変調する光変調素子を有し、該光変調素子により変調された光を投射して投射画像を表示する画像投射装置であり、前記光源から出射した光の光量を変化させる光学素子を有する画像投射装置のコンピュータに処理を実行させるコンピュータプログラムであって、
前記処理は、
前記画像信号を解析して該画像信号の階調に関する情報を取得するステップと、
前記投射画像の明るさに関するユーザ設定値を取得するステップと、
前記明るさに関するユーザ設定値と前記階調に関する情報とを用いて、前記光学素子および前記光源に対する光量の割当てを設定し、前記割当てに応じて前記光学素子の動作および前記光源に対する供給電力のうち少なくとも一方を制御するステップとを有することを特徴とする制御プログラム。
【発明の詳細な説明】
【技術分野】
【０００１】
本発明は、光源からの光を光変調素子により変調して投射する画像投射装置（以下、プロジェクタという）に関する。
【背景技術】
【０００２】
プロジェクタには、入力された画像信号に応じて、光源から光変調素子に入射する光量を調節することで投射画像のコントラストを向上させるものがある。特許文献１には、入力された画像信号に応じて絞りを動的に制御し、その際に光量の変化に伴う投射画像の色バランスの崩れを補正するプロジェクタが開示されている。
【先行技術文献】
【特許文献】
【０００３】
【特許文献１】特開２０１３−１６８８３６号公報
【発明の概要】
【発明が解決しようとする課題】
【０００４】
しかしながら、特許文献１では、光源自体の光量を変化させる際の該光源が発する光のスペクトル変化が考慮されていない。このため、絞りの制御と光源の光量制御とを連動させる場合に、色の変化による画質の低下を補正しきれない。
【０００５】
本発明は、絞り等の光学素子の制御と光源の制御とを良好に連動させてコントラストを向上させることが可能な画像投射装置を提供する。
【課題を解決するための手段】
【０００６】
本発明の一側面としての画像投射装置は、画像信号に応じて光源からの光を変調する光変調素子を有し、該光変調素子により変調された光を投射して投射画像を表示する。該装置は、光源から出射した光の光量を変化させる光学素子と、画像信号を解析して該画像信号の階調に関する情報を取得する情報取得手段と、投射画像の明るさに関するユーザ設定値を取得する取得手段と、ユーザ設定値と階調に関する情報とを用いて光学素子および光源に対する光量の割当てを設定し、該割当てに応じて光学素子の動作および光源に対する供給電力のうち少なくとも一方を制御する制御手段とを有することを特徴とする。
【０００７】
また、本発明の他の一側面としての制御方法は、画像信号に応じて光源からの光を変調する光変調素子を有し、該光変調素子により変調された光を投射して投射画像を表示する画像投射装置であり、光源から出射した光の光量を変化させる光学素子を有する画像投射装置に適用される。該制御方法は、画像信号を解析して該画像信号の階調に関する情報を取得するステップと、投射画像の明るさに関するユーザ設定値を取得するステップと、明るさに関するユーザ設定値と階調に関する情報とを用いて光学素子および光源に対する光量の割当てを設定し、該割当てに応じて光学素子の動作および光源に対する供給電力のうち少なくとも一方を制御するステップとを有することを特徴とする。
【０００８】
なお、画像投射装置のコンピュータに上記制御方法に従う処理を実行させるコンピュータプログラムも、本発明の他の一側面を構成する。
【発明の効果】
【０００９】
本発明によれば、光学素子の制御と光源の制御とをユーザ設定値と画像信号の階調に関する情報に応じて良好に連動させて投射画像のコントラストを向上ざせることができる。
【図面の簡単な説明】
【００１０】
【図１】本発明の実施例１および実施例２であるプロジェクタの構成を示すブロック図。
【図２】実施例１および実施例２におけるＡＰＬ値と目標光量ゲイン値との関係を示す図。
【図３】実施例１および実施例２におけるシャッター色補正テーブルと光源色補正テーブルの例を示す図。
【図４】実施例１および実施例２において行われる処理を示すフローチャート。
【発明を実施するための形態】
【００１１】
以下、本発明の実施例について図面を参照しながら説明する。
【実施例１】
【００１２】
図１は、本発明の実施例１であるプロジェクタ（画像投射装置）１００の構成を示している。本実施例のプロジェクタ１００は、光変調素子として液晶パネルを用いている。ただし、光変調素子として、デジタルマイクロミラーデバイスを用いてもよい。
【００１３】
プロジェクタ１００は、ＣＰＵ１０１、画像信号入力部１０２、画像信号解析部１０３、画像処理部１０４、色補正部１０５、設定部１０６および設定管理部１０７を有する。また、プロジェクタ１００は、光量ゲイン計算部１０８、光量割当て部１０９、シャッター制御部１１０、光源制御部１１１および記憶部１１２を有する。さらに、プロジェクタ１００は、シャッター（絞り）１１５、光源１１６、液晶パネル１１７および投射レンズ１１８を有する。これら各部およびデバイスは、コントロールバスやデータバス等の内部バス１１９を通じて互いに情報や信号の授受が可能に接続されている。
【００１４】
ＣＰＵ１０１は、記憶部１１２に格納されているコンピュータプログラムに従ってプロジェクタ１００全体の動作を制御する。画像信号入力部１０２は、パーソナルコンピュータやビデオプレイヤー等の画像データ出力機器と映像インタフェース等を介して接続され、画像データ出力機器が出力する画像信号を受信し、受信した画像信号を画像信号解析部１０３に供給する。映像インタフェースは、例えば、ＨＤＭＩ（登録商標）、ＤＶＩおよびDisplayPort等を含む。
【００１５】
画像信号解析部（情報取得手段）１０３は、画像信号入力部１０２から供給される画像信号の信号レベル（階調または輝度レベル）。を検出する。画像信号解析部１０３は、画像データの階調（または輝度）に関する情報（統計量）として、例えば画像信号の１フレームごとのＡＰＬ値（Average Picture Level）を検出する。ＡＰＬ値は、信号レベルの平均値（つまりは平均階調レベル）であり、画像信号が明るい（高階調である）場合は信号レベルが高くなるので大きな値となり、画像信号が暗い（低階調である）場合は信号レベルが低くなるので小さな値となる。画像信号解析部１０３は、画像信号を画像処理部１０４に供給するとともに、検出したＡＰＬ値を光量ゲイン計算部１０８に供給する。なお、実施例１における画像信号解析部１０３は、画像信号のＡＰＬ値を検出するものとして説明する。ただし、階調に関する情報（統計量）として、信号レベルの分布を示すヒストグラム（階調ヒストグラム）や最大階調値であるＷＰ値（White Peak）を検出するようにしてもよい。
【００１６】
画像処理部１０４は、画像信号解析部１０３から供給された画像信号を液晶パネル１１７で表示可能な形式の画像データに変換する処理を行う。また、画像処理部１０４は、色補正部１０５を含む。色補正部（補正手段）１０５は、画像信号の信号レベルを補正する画像処理ブロックである。色補正部１０５は、後述する色補正値の算出方法により算出したゲイン値を画像信号に対して適用（乗算）することで画像信号を補正し、補正した画像信号を液晶パネル１１７に供給する。
【００１７】
設定部１０６は、プロジェクタ１００の外装に取り付けられたボタン等の操作部材を有する。ユーザは設定部１０６を通じてＯＳＤメニューの表示やメニュー操作を行うことにより、プロジェクタ１００が備える各機能の設定を行う。なお、設定部１０６は、ジョグダイヤルやタッチセンサー等であってもよく、また、リモートコントローラのように外部から有線または無線通信を介して操作するものであってもよい。また、設定部１０６は、ネットワークコマンド等を用いることでボタン等の操作やＯＳＤメニューの表示を介さず、直接設定を行うものであってもよい。設定部１０６に対するユーザ操作の情報は、設定管理部１０７に通知される。
【００１８】
設定管理部１０７は、設定部１０６に対するユーザ操作の情報に応じて、プロジェクタ１００が備える各機能に対するユーザ設定値とその変更の有無を管理する。設定管理部１０７は、プロジェクタ１００が備える各機能の現在のユーザ設定値を記憶部１１２より読み出す（取得する）。また、設定管理部１０７は、設定部１０６に対するユーザ操作の情報からユーザ設定値の変更があったと判定した場合は、該変更を反映して記憶部１１２に記憶する。プロジェクタ１００が備える各機能のユーザ設定値には、少なくとも明るさに関するユーザ設定値（以下、ユーザ明るさ設定値という）が含まれる。ユーザ明るさ設定値は、画像全体の明るさを所定の段階で変更できる機能におけるユーザ設定値である。設定部１０６および設定管理部１０７により取得手段が構成される。
【００１９】
光量ゲイン計算部１０８は、画像信号解析部１０３が検出したＡＰＬ値に応じて目標光量ゲイン値を設定する。図２は、ＡＰＬ値と目標光量ゲイン値との関係を示す。図２の横軸はＡＰＬ値を示し、縦軸は目標光量ゲイン値を示す。図２において、ＡＰＬ値が低い場合、すなわち画像信号の信号レベルが低く暗い画像の画像信号である場合は、目標光量ゲイン値は小さい値となる。一方、ＡＰＬ値が高い場合、すなわち画像信号の信号レベルが高く明るい画像の画像信号である場合は、目標光量ゲイン値は大きい値となる。すなわち、ＡＰＬ値が高いほど目標ゲイン値が大きくなる。光量ゲイン計算部１０８は、設定された目標光量ゲイン値を光量割当て部１０９に供給する。
【００２０】
光量割当て部１０９は、記憶部１１２から読み出すユーザ明るさ設定値と光量ゲイン計算部１０８から供給される目標光量ゲイン値（つまりは階調に関する情報（統計量）であるＡＰＬ値）とに応じて、光量に関する目標値としての目標光量調整値を設定する。そして、設定した目標光量調整値を実現するためのシャッター１１５および光源１１６に対する光量割当てを設定し、該光量割当てに応じたシャッター光量調整値および光源光量調整値をシャッター制御部１１０および光源制御部１１１に供給する。ユーザ明るさ設定値を用いるのは、ユーザが予め設定した明るさを超えないように目標光量調整値を設定するためである。また、光量割当て部１０９は、シャッター光量調整値および光源光量調整値を画像処理部１０４にも供給する。
【００２１】
なお、光量割当ての設定方法については後述する。また、本実施例では、光量に関する目標値として目標光量調整値を用いるが、光量に関する目標値として様々な値を用いることが可能である。
【００２２】
シャッター制御部１１０は、光量割当て部１０９から供給されるシャッター光量調整値に応じて光量変更手段としてのシャッター１１５の動作を制御する。これにより、光源１１６からの光のうち遮光する光量を変更して、液晶パネル１１７に入射する光量を変化させる。
【００２３】
光源制御部１１１は、光量割当て部１０９から供給される光源光量調整値に応じて光源１１６への供給電力（供給電圧または供給電流）を制御することで光源１１６から出力される光量を変化させる。また、光源制御部１１１は、光源１１６の経時変化等による劣化を検出する劣化検出手段としての機能を備え、劣化を検出した場合に供給電力を増加させて光源１１６の出力光量（つまりは液晶パネル１１７に入射する光量）の減少を抑える。光源１１６の劣化の検出は、まず所定の供給電力において輝度センサやカラーセンサ等（光量検出手段）による光源１１６の初期の明るさの測定値を記憶部１１２に記憶する。その後、周期的に所定の供給電力における実際の明るさ測定値と初期の明るさ測定値とを比較して前者が後者より所定値以上低くなったことを検出することにより行う。換言すれば、所定の供給電力において光量が低下していることを検出することで光源の劣化を検出する。
【００２４】
ＣＰＵ１０１、光量ゲイン計算部１０８、光量割当て部１０９、シャッター制御部１１０および光源制御部１１１により制御手段が構成される。
【００２５】
記憶部１１２は、ＥＥＰＲＯＭやフラッシュメモリ等の不揮発性メモリを有する。また、記憶部１１２は、ＣＰＵ１０１のワークエリアとして機能する揮発性メモリを有する。この不揮発性メモリには、プロジェクタ１００が備える各機能の設定値や、プロジェクタ１００全体の動作を制御するためのコンピュータプログラムが格納されている。さらに不揮発性メモリには、シャッター色補正テーブル（第１の補正データ）１１３と光源色補正テーブル（第２の補正データ）１１４が格納されている。
【００２６】
シャッター色補正テーブル１１３は、光源１１６が出力する光をシャッター１１５により遮光することに起因する光のスペクトル変化が発生しても投射画像に色変化が生じないように画像信号を補正するためのデータを保持したデータテーブルである。光源色補正テーブル１１４は、光源１１６に対する供給電力の変化に応じて光源１１６からの出力光量が変化することに伴い光のスペクトルが変化しても投射画像に色変化が生じないように画像信号を補正するためのデータを保持したデータテーブルである。
【００２７】
シャッター１１５は、１または複数のシャッター羽根（絞り羽根）等の遮光部材と、これを駆動するステッピングモータ等のパルスアクチュエータとにより構成され、シャッター制御部１１０によりパルスアクチュエータが制御されることで遮光部材が駆動される。遮光部材の位置（遮光部材による開口量）に応じて、シャッター１１５を通過する光量が変化する。シャッター１１５を通過した光は、液晶パネル１１７に入射する。
【００２８】
光源１１６は、高圧水銀ランプ、ハロゲンランプ、メタルハライドランプ等のランプやＬＥＤ（Light Emitting Diode）、または半導体レーザー等の発光体を含み、光源制御部１１１により制御される。光源１１６からの白色光は、不図示の色分解光学系によって３色（ＲＧＢ）の光に色分離され、色分離されたＲ光、Ｇ光およびＢ光それぞれ、液晶パネル１１７（図には１つのみ示すが、実際にはＲ用、Ｇ用およびＢ用液晶パネルの３つが設けられている）に入射する。Ｒ用、Ｇ用およびＢ用液晶パネル（１１７）はそれぞれ、複数の画素を有し、入射した光を画素ごとに画像処理部１０４から供給される画像データの信号レベルに応じて変調する。Ｒ用、Ｇ用およびＢ用液晶パネル（１１７）により変調されたＲ光、Ｇ光およびＢ光は、不図示の色合成光学系により合成され、投射レンズ１１８により不図示のスクリーン等の被投射面に投射される。これにより、フルカラー画像としての投射画像が表示される。投射レンズ１１８は、フォーカス機能やズーム機能を有しており、ＣＰＵ１０１によりフォーカス制御やズーム制御が行われる。
【００２９】
以上のように構成された本実施例のプロジェクタ１００では、画像信号が全体的に暗い場合は画像信号解析部１０３が検出するＡＰＬ値が小さくなり、光量割当て部１０９が算出する光量調整値が小さくなるので、液晶パネル１１７に入射する光量が少なくなる。このため、暗い画像信号がより暗い投射画像として表示される。また、画像信号が全体的に明るい場合は、画像信号解析部１０３が検出するＡＰＬ値が大きくなり、光量割当て部１０９が算出する光量調整値が大きくなるので、液晶パネル１１７に入射する光量が多くなる。このため、明るい画像信号がより明るい投射画像として表示される。
【００３０】
次に、本実施例におけるシャッター１１５および光源１１６に対する光量割当ての設定方法について説明する。光量割当て部１０９は、記憶部１１２から読み出したユーザ明るさ設定値と光量ゲイン計算部１０８から供給された目標光量ゲイン値とを乗算したゲイン値を目標光量調整値として算出する。そして、光量割当て部１０９は、算出した目標光量調整値が所定値（例えば５０％（０．５））以上であるか否かを判定し、そうである場合にはシャッター制御部１１０を通じてシャッター１１５のみに光量を割り当てる。一方。算出した光量調整値が所定値未満である場合には、該所定値までの光量をシャッター１１５に割り当て、所定値を下回る分の光量を光源制御部１１１を通じて光源１１６に割り当てる。つまり、全体の目標光量調整値をActrlとし、シャッター光量調整値をSctrlとし、光源光量調整値をLctrlとし、所定値をThとする。このとき、光量割当て部１０９は、以下のようにSctrlとLctrlを設定する。
・Th ≦ Actrlの場合
Sctrl = Actrl
Lctrl = 1.0
・Th >Actrlの場合
Sctrl = Th
Lctrl = Actrl / Th
なお、ここに説明したSctrlとLctrlの設定は例に過ぎず、他の光量割当てを行ってもよい。また、光量割当ての設定に、目標光量調整値に応じたSctrlとLctrlの割当てデータを保持したデータテーブルを用いてもよい。
【００３１】
次に、図３を用いて、本実施例における色補正値の算出方法について説明する。図３は、記憶部１１２に格納されるシャッター色補正テーブル１１３（図３（ａ））と光源色補正テーブル１１４（図３（ｂ））の例を示す。色補正部１０５は、シャッター光量調整値Sctrlが供給されると、シャッター色補正テーブル１１３を用いて色補正値としてのＲ，ＧおよびＢのそれぞれのゲイン値（以下、シャッターＲＧＢゲイン値という）Sgを算出する。また、色補正部１０５は、光量割当て部１０９から光源光量調整値Lctrlが供給されると、光源色補正テーブル１１４を用いて色補正値としての光源ＲＧＢゲイン値Lgを算出する。色補正部１０５は、画像信号に対して、SgおよびLgを乗算することで画像処理としての色補正を行う。
【００３２】
次に、図４のフローチャートを用いて、本実施例にてＣＰＵ１０１が行う処理について説明する。本処理では、プロジェクタ１００に入力される画像信号の明るさに応じて、表示する投射画像の明るさを制御し、かつ色補正を行う。ＣＰＵ１０１は、プロジェクタ１００の電源がオンの場合に、記憶部１１２に格納されているコンピュータプログラムとしての制御プログラムを実行することによって本処理を実行する。また、ＣＰＵ１０１は、画像信号入力部１０２に画像信号が入力されている状態で定常的に本処理を行う。
【００３３】
Ｓ１０１において、ＣＰＵ１０１は、画像信号解析部１０３に対して、画像信号入力部１０２から供給される画像信号のＡＰＬ値の検出を指示する。画像信号解析部１０３は、画像信号のＡＰＬ値を検出し、検出したＡＰＬ値を光量ゲイン計算部１０８に供給する。この後、ＣＰＵ１０１はＳ１０２に進む。
【００３４】
Ｓ１０２では、ＣＰＵ１０１は、光量ゲイン計算部１０８に対して、目標光量ゲイン値の設定を指示する。光量ゲイン計算部１０８は、画像信号解析部１０３から供給されたＡＰＬ値に応じて目標光量ゲイン値を設定し、これを光量割当て部１０９に供給する。この後、ＣＰＵ１０１はＳ１０３に進む。
【００３５】
Ｓ１０３では、ＣＰＵ１０１は、光量割当て部１０９に対して、シャッター１１５および光源１１６に対する光量割当ての設定を指示する。光量割当て部１０９は、前述した光量割当ての設定方法に従って光量割当てを設定し、シャッター光量調整値および光源光量調整値をそれぞれシャッター制御部１１０および光源制御部１１１に供給するとともに、両光量設定値を画像処理部１０４に供給する。この後、ＣＰＵ１０１はＳ１０４に進む。
【００３６】
Ｓ１０４では、ＣＰＵ１０１は、シャッター制御部１１０に対してシャッター１１５の制御を指示するとともに、光源制御部１１１に対して光源１１６の制御を指示する。シャッター制御部１１０は、光量割当て部１０９から供給されたシャッター光量調整値に応じてシャッター１１５を制御する。光源制御部１１１は、光量割当て部１０９から供給された光源光量調整値に応じて光源１１６に対する供給電力を制御する。この後、ＣＰＵ１０１はＳ１０５に進む。
【００３７】
Ｓ１０５では、ＣＰＵ１０１は、画像処理部１０４に対して、色補正値の算出を指示する。画像処理部１０４内の色補正部１０５は、記憶部１１２からシャッター色補正テーブル１１３と光源色補正テーブル１１４を読み出し、前述した色補正値の算出方法に従って色補正値を算出する。この後、ＣＰＵ１０１はＳ１０６に進む。
【００３８】
Ｓ１０６では、ＣＰＵ１０１は、画像処理部１０４に対して、画像処理による色補正の実行を指示する。画像処理部１０４内の色補正部１０５は、Ｓ１０５において算出した色補正値を用いて、画像信号解析部１０３から供給される画像信号に対する色補正を行い、色補正後の画像信号を液晶パネル１１７に供給する。この後、ＣＰＵ１０１は本処理を終了する。
【００３９】
本実施例では、液晶パネル１１７に入射する光量を制御する際に、ユーザ明るさ設定値と画像信号のＡＰＬ値とに応じてシャッター１１５の制御と光源１１６の制御と良好に連動させて投射画像のコントラストを向上させることができる。そして、この際に画像信号に対して適切な色補正を行うことができる。したがって、光源１１６からの光量の変化に伴う色の変化による画質の低下を抑えることができる。
【００４０】
なお、本実施例では、目標光量調整値が所定値以上か否かに応じて光量割当てを変更する場合について説明したが、他の設定方法を用いてもよい。例えば、シャッター１１５の動作分解能を補うように光源１１６の光量割当てを設定してもよいし、光源１１６の光量分解能を補うようにシャッター１１５の光量割当てを設定してもよい。また、本実施例では、目標光量調整値が所定値以上である場合にシャッター１１５のみに光量割当てを行い、所定値未満の場合に該所定値までをシャッター１１５に、所定値を下回る分を光源１１６にそれぞれ光量割当てを行う場合について説明した。しかし、目標光量調整値が所定値以上である場合に光源１１６のみに光量割当て行い、所定値未満の場合に該所定値までを光源１１６に、所定値を下回る分をシャッター１１５にそれぞれ光量割当てを行ってもよい。
【００４１】
また、図４のフローチャートにおけるＳ１０４とＳ１０５の順序は逆であってもよいし、これらを並列して行ってもよい。
【００４２】
また、本実施例では、光源１１６の劣化を検出して光源１１６に対する供給電力を増加させて液晶パネル１１７に入射する光量の低下を抑える場合について説明した。しかし、劣化を検出したときにシャッター制御部１１０を通じてシャッター１１５の開口量を増加させて液晶パネル１１７に入射する光量の低下を抑えるようにしてもよい。また、光源１１６に対する供給電力を増加させるとともに、シャッター１１５の開口量を増加させてもよい。
【００４３】
さらに、本実施例では、光源１１６から出射した後の光量を変化させるために遮光部材を駆動するシャッター１１５を用いる場合について説明したが、液晶素子等のように透過する光量を変化させることが可能な光学素子を用いてもよい。
【実施例２】
【００４４】
次に、本発明の実施例２であるプロジェクタについて説明する。本実施例のプロジェクタの構成は、実施例１と同様である。
【００４５】
実施例１では、光量割当て部１０９が設定するシャッター光量調整値と光源光量調整値に応じて色補正部１０５が色補正を行う場合について説明した。ただし、プロジェクタ内の温度が過度に上昇した場合には、プロジェクタの故障を防ぐために光源１１６の出力光量を下げる必要がある。このような場合には、光量割当て部１０９が設定した光源光量調整値と光源１１６の出力光量とにずれが生ずるため、色補正部１０５が光源光量調整値に応じて画像信号を色補正しても良好に色補正がなされた投射画像が得られない。
【００４６】
また、シャッター１１５を駆動するアクチュエータの経時劣化等によりシャッター１１５の制御に時間を要する場合があり、この結果、正しい色補正が行われない期間が発生してしまう。
【００４７】
このため、本実施例では、実施例１と異なる以下の処理を行うことでこれらの問題を解消する。
【００４８】
光量割当て部１０９は、実施例１で説明したように、シャッター光量調整値および光源光量調整値をそれぞれシャッター制御部１１０および光源制御部１１１に供給するが、画像処理部１０４には供給しない。また、シャッター制御部１１０は、実施例１で説明したシャッター１１５の制御に加えて、制御後のシャッター１１５における遮光部材の位置（シャッター１１５の開口量）を検出し、該検出位置（開口量）からシャッター光量調整値を算出する。この場合、シャッター１１５の遮光羽根の位置（開口状態）を検出するセンサを設けてもよいし、シャッター１１５のアクチュエータの性能から算出される所定の時定数から遮光羽根の現在位置を算出するようにしてもよい。シャッター制御部１１０は、算出したシャッター光量調整値を画像処理部１０４に供給する。
【００４９】
一方、図１に括弧書きで示した温度センサ（温度検出手段）１１１ａを備えた光源制御部１１１は、現在のプロジェクタ１００の内部温度を検出し、検出した内部温度が所定温度以上である場合には光源１１６への供給電力を少なくして出力光量を減少させる。例えば、検出内部温度が７５℃以上である場合に、光源光量調整値を０．５倍に減らすことで、それ以上の内部温度の上昇を抑制する。光源制御部１１１は、減少させた光源光量調整値を画像処理部１０４に供給する。
【００５０】
本実施例における光量割当ての設定方法、色補正値の算出方法および処理の流れは、色補正部１０５が用いる光源光量調整値の供給元が異なる以外は全て実施例１と共通である。
【００５１】
なお、シャッター１１５の制御に時間を要する場合があるだけでなく、光源１１６の制御に時間を要する場合もあり得る。この場合は、光源制御部１１１が光源１１６の制御の遅れ分だけ減少させた、つまりは補正した光源光量調整値を算出して画像処理部１０４に供給する。
【００５２】
また本実施例では、光源制御部１１１がプロジェクタ１００の内部温度を検出する場合について説明したが、シャッター制御部１１０がプロジェクタ１００の内部温度を検出してもよい。検出内部温度が所定温度以上である場合は、シャッター制御部１１０はシャッター１１５の開口量を増加させてシャッター１１５の遮光部材に照射される光量を減少させることでプロジェクタ１００の内部温度を低下させる。そして、シャッター制御部１１０は、シャッター１１５の開口量の増加に応じて増加させた、つまりは補正したシャッター光量調整値を画像処理部１０４に供給する。
【００５３】
本実施例では、シャッター制御部１１０または光源制御部１１１は、内部温度を低下させる等の目的でシャッター１１５の動作や光源１１６に対する供給電流を制御した場合に、シャッター光量調整値または光源光量調整値を補正して画像処理部１０４に供給する。すなわち、シャッター１１５の動作および光源１１６に対する供給電流のうち少なくとも一方を制御するとともに、該制御に応じて光量割当てを変更する。これにより、画像信号に対する色補正の精度を向上させることができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５４】
以上説明した各実施例は代表的な例にすぎず、本発明の実施に際しては、各実施例に対して種々の変形や変更が可能である。
【符号の説明】
【００５５】
１００  プロジェクタ
１０３  画像信号解析部
１０８  光量ゲイン計算部
１０９  光量割当て部
１１０  シャッター制御部
１１１  光源制御部
１１５  シャッター
１１６  光源
【図１】
2019117307.tif 000003
【図２】
2019117307.tif 000004
【図３】
2019117307.tif 000005
【図４】
2019117307.tif 000006